(57)【要約】      （修正有）【課題】ベルト本体の損傷、ベルトを緩めている状態が目立たず、見栄えが良く、体裁の良いベルトを提供する。【解決手段】ベルト本体の一端部１２裏面側に設けられ、ベルト本体の他端部を解除可能に固定できる係止部１４と、係止部に設けられ、ベルト本体の一端部が係止されるバックル部１５とを有する。係止部は両端に開口を有し、内部に薄型箱状のケース部１８と、ケース部内に配置され、ベルト本体の他端部１３裏面側の突条部に係止しうる係止片１９とを備えている。【選択図】図３
0003175987.tif 000002
【実用新案登録請求の範囲】
【請求項１】
ベルト本体の一端部裏面側に設けられ、ベルト本体の他端部を解除可能に固定できる係止部と、上記係止部に設けられ、上記ベルト本体の一端部が係止されるバックル部とを有することを特徴とするベルト。
【請求項２】
上記ベルト本体の他端部の裏面側には、ベルト本体の幅方向に沿って複数の突条部が設けられている一方、上記係止部は、両端に開口部を有し、内部に上記ベルト本体の他端部が挿入配置される薄型箱状のケース部と、上記ケース部内に配設され、厚さ方向に沿って回動し、上記突条部に係止しうる係止片とを備えていることを特徴とする請求項１記載のベルト。
【請求項３】
上記ケース部は、全体略直方体形状に形成され、上記開口部は長さ方向の両端部に形成されると共に、上記係止片は、平面略細長長方形状に形成され、付勢部材により上記ケース部の厚さ方向外方へ付勢された状態で軸支された係止片本体と、上記係止片本体の先端部に形成された係止突起部と、係止片本体を上記付勢部材の付勢力に抗して回動させうる、上記ケース部の外方へ露出する操作部が形成されていることを特徴とする請求項２記載のベルト。
【請求項４】
上記バックル部は枠状に形成され、上記ケース部の長さ方向端部に軸支されていることを特徴とする請求項３記載のベルト。
【請求項５】
上記操作部は、上記係止片本体の幅方向の両側に一対に突設されていることを特徴とする請求項４記載のベルト。
【考案の詳細な説明】
【技術分野】
【０００１】
本考案は、ベルトの改良に関する。
【背景技術】
【０００２】
公知のベルトとして、引掛孔が表面側に露呈し長い間に亘って使用しているうちに当該引掛孔の形が崩れて不体裁となることを防止するために、ベルトの末端寄り個所の内面に長手方向中心線に交叉する向きとして多数本の係合凹溝を、またベルト連結用金具にベルトの末端部をバックルに通して締付けたときに上記係合凹溝に係合する係合凸起をそれぞれ設けたものが提案されている（特許文献１）。
【０００３】
しかしながら、バックル部に設けられた係合凸起を、係合凹溝に係止させることで、ベルト本体に応力が作用し、ベルト本体が摩耗し、強度が弱くなってしまう。これにより、ベルト表面にも皺やクラックが入って折れ曲がってしまい、ベルトの見栄えが低下してしまうという不具合があった。
【０００４】
また、ベルトは腹部を締め付けるものであるので、食事をすること等により腹部が膨張した場合には、ベルトを緩めたいという要望がある。
【０００５】
しかしながら、一般的なベルトにおいて、ベルトを緩めた場合、ベルトを緩めている状態が他人から容易に視認することができるため、見苦しい印象を与えてしまい、不体裁となってしまうという不具合があった。
【特許文献１】実開平６−７０６１２号公報
【考案の開示】
【考案が解決しようとする課題】
【０００６】
そこで、本考案の課題は、ベルト本体の損傷、ベルトを緩めている状態が目立たず、見栄えが良く、体裁の良いベルトを提供することにある。
【課題を解決するための手段】
【０００７】
上記課題を解決するために、請求項１に記載された考案に係るベルトは、ベルト本体の一端部裏面側に設けられ、ベルト本体の他端部を解除可能に固定できる係止部と、上記係止部に設けられ、上記ベルト本体の一端部が係止されるバックル部とを有することを特徴とする。
【０００８】
従って、請求項１記載の考案にあっては、ベルト本体の一端部裏面側に設けられ、ベルト本体の他端部を解除可能に固定できる係止部と、上記係止部に設けられ、上記ベルト本体の一端部が係止されるバックル部とを有することから、ベルト本体の裏面側に設けられた係止部で、ベルトの長さ調整及びベルト本体の固定を行うことができ、上記バックル部では実際にベルトを係止することがないため、上記バックル部付近のベルト本体には係止時の応力が作用しない。
【０００９】
また、請求項２記載の考案に係るベルトにおいては、上記ベルト本体の他端部の裏面側には、ベルト本体の幅方向に沿って複数の突条部が設けられている一方、上記係止部は、両端に開口部を有し、内部に上記ベルト本体の他端部が挿入配置される薄型箱状のケース部と、上記ケース部内に配設され、厚さ方向に沿って回動し、上記突条部に係止しうる係止片とを備えていることを特徴とする。
【００１０】
従って、請求項２記載の考案にあっては、上記ベルト本体の他端部の裏面側には、ベルト本体の幅方向に沿って複数の突条部が設けられている一方、上記係止部は、両端に開口部を有し、内部に上記ベルト本体の他端部が挿入配置される薄型箱状のケース部と、上記ケース部内に配設され、厚さ方向に沿って回動し、上記突条部に係止しうる係止片とを備えていることから、上記突条部に上記係止片を係止することで、ベルトの長さ調整及びベルト本体の固定を行うことができる。
【００１１】
また、請求項３記載の考案に係るベルトにおいては、上記ケース部は、全体略直方体形状に形成され、上記開口部は長さ方向の両端部に形成されると共に、上記係止片は、平面略細長長方形状に形成され、付勢部材により上記ケース部の厚さ方向外方へ付勢された状態で軸支された係止片本体と、上記係止片本体の先端部に形成された係止突起部と、係止片本体を上記付勢部材の付勢力に抗して回動させうる、上記ケース部の外方へ露出する操作部が形成されていることを特徴とする。
【００１２】
従って、請求項３記載の考案にあっては、上記ケース部は、全体略直方体形状に形成され、上記開口部は長さ方向の両端部に形成されると共に、上記係止片は、平面略細長長方形状に形成され、付勢部材により上記ケース部の厚さ方向外方へ付勢された状態で軸支された係止片本体と、上記係止片本体の先端部に形成された係止突起部と、係止片本体を上記付勢部材の付勢力に抗して回動させうる、上記ケース部の外方へ露出する操作部が形成されていることから、操作部を操作しやすく、上記操作部を指で押圧し、上記付勢部材の付勢力に抗して、上記ケース部の厚さ方向外方に回動させることで、上記ケース部内部に上記ベルト本体の他端部を挿入配置させるといった一連の作業が行いやすくなる。
【００１３】
また、請求項４記載の考案に係るベルトにおいては、上記バックル部は枠状に形成され、上記ケース部の長さ方向端部に軸支されていることを特徴とする。
【００１４】
また、請求項５記載の考案に係るベルトにおいては、上記操作部は、上記係止片本体の幅方向の両側に一対に突設されていることを特徴とする。
【００１５】
従って、請求項５記載の考案にあっては、上記操作部は、上記係止片本体の幅方向の両側に一対に突設されていることから、上記操作部を二本の指で操作することができる。したがって、片手での上記操作部の操作が行い易くなる。
【考案の効果】
【００１６】
請求項１記載の考案にあっては、ベルト本体の一端部裏面側に設けられ、ベルト本体の他端部を解除可能に固定できる係止部と、上記係止部に設けられ、上記ベルト本体の一端部が係止されるバックル部とを有することから、ベルト本体の裏面側に設けられた係止部で、ベルトの長さ調整及びベルト本体の固定を行うことができ、上記バックル部では実際にベルトを係止することがないため、上記バックル部付近のベルト本体には係止時の応力が作用しない。したがって、上記バックル部付近のベルト本体の損傷は生じない。その結果、見栄えが良く、体裁の良いベルトを提供することができる。
【００１７】
請求項２記載の考案にあっては、上記ベルト本体の他端部の裏面側には、ベルト本体の幅方向に沿って複数の突条部が設けられている一方、上記係止部は、両端に開口部を有し、内部に上記ベルト本体の他端部が挿入配置される薄型箱状のケース部と、上記ケース部内に配設され、厚さ方向に沿って回動し、上記突条部に係止しうる係止片とを備えていることから、上記突条部に上記係止片を係止することで、ベルトの長さ調整及びベルト本体の固定を行うことができる。
その結果、請求項１記載の考案の効果に加えて、ウエストサイズに適合させやすいベルトを提供することができる。
【００１８】
請求項３記載の考案にあっては、上記ケース部は、全体略直方体形状に形成され、上記開口部は長さ方向の両端部に形成されると共に、上記係止片は、平面略細長長方形状に形成され、付勢部材により上記ケース部の厚さ方向外方へ付勢された状態で軸支された係止片本体と、上記係止片本体の先端部に形成された係止突起部と、係止片本体を上記付勢部材の付勢力に抗して回動させうる、上記ケース部の外方へ露出する操作部が形成されていることから、操作部を操作しやすく、上記操作部を指で押圧し、上記付勢部材の付勢力に抗して、上記ケース部の厚さ方向外方に回動させることで、上記ケース部内部に上記ベルト本体の他端部を挿入配置させるといった一連の作業が行いやすくなる。
その結果、請求項２記載の考案の効果に加えて、操作性に優れたベルトを提供することができる。
【００１９】
請求項５記載の考案にあっては、上記操作部は、上記係止片本体の幅方向の両側に一対に突設されていることから、上記操作部を二本の指で操作することができる。したがって、片手での上記操作部の操作が行い易くなる。その結果、請求項３記載の考案の効果に加えて、操作性に優れたベルトを提供することができる。
【図面の簡単な説明】
【００２０】
【図１】本考案に係るベルトの一実施の形態を示し、実施の形態におけるベルトを表面側から示す斜視図である。
【図２】本考案に係るベルトの一実施の形態を示し、実施の形態におけるベルトを裏面側から示す斜視図である。
【図３】本考案に係るベルトの一実施の形態を示し、実施の形態における係止部及びバックル部を模式的に示す分解斜視図である。
【図４】本考案に係るベルトの一実施の形態を示し、実施の形態における係止片の斜視図である。
【図５】本考案に係るベルトの一実施の形態を示し、実施の形態におけるベルトの3−3線断面図であり、係止突起部が突条部に係合している状態を示すものである。
【図６】本考案に係るベルトの一実施の形態を示し、実施の形態におけるベルトの係止部のケース部及びバックル部を模式的に示す正面図である。
【考案を実施するための最良の形態】
【００２１】
以下、添付図面に示す実施の形態に基づき、本考案に係るベルトを詳細に説明する。
【００２２】
図１乃至図３に示すように、ベルト本体１１の一端部１２裏面側に設けられ、ベルト本体１１の他端部１３を解除可能に固定できる係止部１４と、上記係止部１４に設けられ、上記ベルト本体１１の一端部１２が係止されるバックル部１５とを有する。
【００２３】
図１乃至図３に示すように、上記バックル部１５は、ベルト本体１１の一端部１２表面側に設けられている。
【００２４】
図２に示すように、上記ベルト本体１１の他端部１３の裏面側には、ベルト本体の幅方向に沿って複数の突条部１６が設けられている一方、図3に示すように、上記係止部１４は、両端に開口部１７を有し、内部に上記ベルト本体１１の他端部１３が挿入配置される薄型箱状のケース部１８と、上記ケース部１８内に配設され、厚さ方向に沿って回動し、上記突条部１６に係止しうる係止片１９とを備えている。
【００２５】
図３及び図４に示すように、上記ケース部１８は、全体略直方体形状に形成され、上記開口部１７は長さ方向の両端部２０に形成されると共に、上記係止片１９は、平面略細長長方形状に形成され、付勢部材２１により上記ケース部１８の厚さ方向外方へ付勢された状態で軸支された係止片本体２２と、上記係止片本体２２の先端部２３に形成された係止突起部２４と、係止片本体２２を上記付勢部材２１の付勢力に抗して回動させうる、上記ケース部１８の外方へ露出する操作部２５、２５が形成されている。
【００２６】
図３及び図６に示すように、上記バックル部１５は枠状に形成された、いわゆるスタンダードバックルとして構成されている。
【００２７】
図３、図４及び図６に示すように、上記操作部２５は、上記係止片本体２２の幅方向の両側に一対に突設されている。
【００２８】
図２に示すように、上記突条部１６は、ベルト本体の幅方向略中央に設けられ、上記突条部１６は、ベルト本体の幅方向の略全域に亘って形成されている。
【００２９】
図３に示すように、上記開口部１７は、上記ケース部１８の、上記バックル部１５寄りの端部に設けられた第一開口部１７aと、他方の端部に設けられた第二開口部１７ｂにより構成されている。
【００３０】
図３に示すように、上記第一開口部１７a及び第二開口部１７ｂは、上記ケース部１８の側面全域に亘る空隙により形成されている。
【００３１】
図１に示すように、上記バックル部１５付近のベルト本体１１には、孔部２６が設けられている。
【００３２】
図１に示すように、上記孔部２６は、第一孔部２６aと、第二孔部２６ｂと、第三孔部２６ｃと、第四孔部２６ｄにより構成されている。
【００３３】
図１に示すように、上記第三孔部２６ｃにはピン２７が挿通されている。
【００３４】
図３及び図６に示すように、上記ピン２７は、上記バックル部１５の幅方向枠部１５ｂを軸として、上記ケース部１８の厚さ方向に回動可能に設けられている。
【００３５】
図３及び図６に示すように、上記ピン２７は、上記幅方向枠部１５ｂの略中央に回動可能に設けられている。
【００３６】
図１に示すように、上記ピン２７の端部２７aは、上記第三孔部２６ｃを介して、ベルト本体１１の表面側に表出している。
【００３７】
図１に示すように、ベルト本体１１の表面側に表出した上記端部２７aは、上記枠状バックル部１５の幅方向枠部１５aに略垂直に当接している。
【００３８】
図３及び図６に示すように、上記ケース部１８の長さ方向端部１８ａには、上記ケース部１８と一体に形成され、上記ケース部１８の長さ方向に突出して、上記枠状バックル部１５の幅方向枠部１５ｂを挿通しうる孔部(図示せず)を有するバックル軸受部３３が設けられている。
【００３９】
図３及び図６に示すように、上記バックル軸受部３３は、上記ケース部１８の幅方向両端部に一対に設けられている。
【００４０】
図３及び図６に示すように、上記バックル軸受部３３は、ケース部１８の端部において、厚さ方向端部から長さ方向に突出して形成され、上記バックル部１５の幅方向枠部１５ｂを包持するように形成されている。
【００４１】
図１に示すように、第一孔部２６aと、第二孔部２６ｂとの間のベルト本体部１１には、ベルト１０の正面側に膨出して、ベルト本体１１の幅方向を跨ぐように設けられたベルト通し部２９が設けられている。
【００４２】
図１及び図２に示すように、上記ベルト通し部２９が設けられたベルト本体１１の裏面側には、上記ケース部１８が設けられている。
【００４３】
図３及び図４に示すように、上記係止片本体２２は、軸部２８を中心に回動可能に形成されている。
【００４４】
図３乃至図５に示すように、上記係止片１９の上記軸部２８の反対側の先端部２３には係止突起部２４が設けられている。
【００４５】
図３乃至図５に示すように、上記係止片１９と、上記ケース部１８の底面との間には、常時、係止片本体２２をケース部１８の上記厚さ方向端部へ付勢する上記付勢手段２１が設けられている。
【００４６】
図３乃至図５に示すように、本実施の形態においては、上記軸部２８側に設けられた上記付勢手段２１はトーションバネ２１aであり、係止突起部２４側に設けられた上記付勢手段２１はコイルバネ２１ｂであるが、他に、板バネやねじりコイルバネであってもよい。
【００４７】
図３及び図４に示すように、上記係止片１９幅方向両端部３１には操作部２５、２５が設けられている。
【００４８】
図３及び図４に示すように、上記係止片１９の長さ方向一端部３２には、上記係止片１９の幅方向に沿って外方へ側面略L字状の延出部３１a、３１aが形成され、先端部はさらに外方へ折曲されて、操作部本体３１ｂ、３１ｂが形成されている。
【００４９】
図３に示すように、上記ケース部１８には、上記操作部２５を、上記ケース部１８の厚さ方向に回動させうる開口部３０、３０が厚さ方向に沿って設けられており、操作部本体３１ｂ、３１ｂが開口部３０、３０内に配置されている。
【００５０】
図３に示すように、上記開口部３０、３０は、上記ケース部１８側面の一部に設けられ、略長方形状に形成されている。
【００５１】
以下、本実施の形態に係るベルトの作用について説明する。
【００５２】
図３に示すように、ベルトを装着する場合には、上記操作部本体３１ｂを指で押圧し、上記付勢部材２１の付勢力に抗して、装着者の腹部方向に係止片１９を回動させながら、上記他端部１３を上記第二開口部１７ｂ側から挿入して上記第一開口部１７aから突出した状態でケース部１８内に配置させる。
【００５３】
図３及び図5に示すように、任意の箇所まで上記他端部１３を上記ケース部１８に挿通させた状態で、上記操作部２５への押圧を解除することにより、上記付勢手段２１の付勢力が作用し、上記係止片１９が上記ケース部１８の厚さ方向外方(図５中上方)へ付勢され、係止片本体２２に設けられた上記係止突起部２４が上記突条部１６に係合する。上記係止突起部２４が上記突条部１６に係合することで、ベルトが固定される。
【００５４】
図１乃至図５に示すように、本実施の形態に係るベルト１０においては、上記のようにベルト本体１１は、ベルト本体１１の裏面側に設けられた係止部１４で固定されることから、上記バックル部１５付近のベルト本体１１には係止時の応力が作用しない。したがって、上記バックル部１５付近のベルト本体１１の損傷は生じない。その結果、見栄えが良く、体裁の良いベルトを提供することができる。
【００５５】
図２及び図３に示すように、上記ベルト本体１１の他端部１３の裏面側には、ベルト本体の幅方向に沿って複数の突条部１６が設けられている一方、図３及び図５に示すように、上記係止部１４は、両端に開口部１７a、１７ｂを有し、内部に上記ベルト本体１１の他端部１３が挿入配置される薄型箱状のケース部１８と、上記ケース部１８内に配設され、厚さ方向に沿って回動し、上記突条部１６に係止しうる係止片１９とを備えていることから、上記突条部１６に上記係止片１９を係止することでベルトの長さ調整及びベルト本体１１の固定を行うことができる。その結果、ウエストサイズに適合させやすいベルトを提供することができる。
【００５６】
図３及び図４に示すように、上記ケース部１８は、全体略直方体形状に形成され、上記開口部１７a、１７ｂは長さ方向の両端部２０に形成されると共に、上記係止片１９は、平面略細長長方形状に形成され、付勢部材２１により上記ケース部１８の厚さ方向外方へ付勢された状態で軸支された係止片本体２２と、上記係止片本体２２の先端部２３に形成された係止突起部２４と、係止片本体２２を上記付勢部材２１の付勢力に抗して回動させうる、上記ケース部１８の外方へ露出する操作部２５が形成されていることから、操作部２５を操作しやすく、上記操作部２５を指で押圧し、上記付勢部材２２の付勢力に抗して、上記ケース部１８の厚さ方向外方に回動させることで、上記ケース部１８内部に上記ベルト本体１１の他端部１３を挿入配置させるといった一連の作業が行いやすくなる。その結果、操作性に優れたベルトを提供することができる。
【００５７】
図３、図４及び図６に示すように、上記操作部本体３１a、３１aは、上記係止片本体２２の幅方向の両側に一対に突設されていることから、上記操作部本体３１a、３１aのいずれも指で操作することができる。したがって、上記操作部の操作が行い易くなり、操作性に優れたベルトを提供することができる。
【００５８】
ベルトを緩めている場合にあっても、図1に示すように、上記ピン２７は、上記第三孔部２６ｃを挿通しているので、ベルトを緩めているようには見えず、他人に見苦しい印象を与えることを防止することができる。その結果、見栄えが良く、体裁の良いベルトを提供することができる。
【００５９】
図３及び図６に示すように、上記バックル軸受部３３は、上記バックル部１５の幅方向枠部１５ｂを包持するように形成されているから、上記バックル部１５は枠１５ｂを中心として回動することができる。
【００６０】
図１に示すように、ベルト１０の正面側に膨出して、ベルト本体１１の幅方向を跨ぐように設けられたベルト通し部２９が設けられていることから、他人からは、上記ベルト通し部２９にベルト本体１１の一端部１２が挿通されているように見える。また、図１に示すように、上記ベルト通し部２９から上記一端部１２までの距離が一定になるので、上記ベルト通し部２９から上記一端部１２までの距離が長くなりすぎて、不体裁になること、又は、上記ベルト通し部２９から上記一端部１２までの距離が短くなりすぎて、他人からベルトを緩めている状態を視認されること、を防止することができる。その結果、見栄えが良く、体裁の良いベルトを提供することができる。
【００６１】
なお、上記ベルト通し部２９には実際にベルト本体１１を挿通させるものではなく、ベルト１０の体裁を整えるものである。
【産業上の利用可能性】
【００６２】
本考案は、ベルトに適用可能である。
【符号の説明】
【００６３】
１０  ベルト
１１  ベルト本体
１２  一端部
１３  他端部
１４  係止部
１５  バックル部
１６  突条部
１７  開口部
１７a  第一開口部
１７ｂ 第二開口部
１８  ケース部
１９  係止片
２０  ケース部の両端部
２１  付勢部材
２１a  トーションバネ
２１b  コイルバネ
２２  係止片本体
２３  先端部
２４  係止突起部
２５  操作部
２６  孔部
２６a  第一孔部
２６ｂ 第二孔部
２６ｃ 第三孔部
２６ｄ 第四孔部
２７  ピン
２７a ピン端部
２８  軸部
２９  ベルト通し部
３０  開口部
３１  係止片の幅方向両端部
３１a  L字状の延出部
３１ｂ 操作部本体
３２  係止片の長さ方向一端部
３３  バックル軸受部
【図１】
0003175987.tif 000003
【図２】
0003175987.tif 000004
【図３】
0003175987.tif 000005
【図４】
0003175987.tif 000006
【図５】
0003175987.tif 000007
【図６】
0003175987.tif 000008